(57)【特許請求の範囲】
【請求項１】
複数の無線基地局と無線通信装置（移動局）で構成される通信システムにおいて、
前記無線通信装置が、
当該無線通信装置周辺の基地局の受信品質を測定する受信品質測定手段と、
前記受信品質測定手段により測定された基地局の受信品質から各基地局の品質情報を作成する品質情報作成手段と、
前記作成された基地局の品質情報に基づいて基地局を選択する基地局選択手段と、
を備え、
前記品質情報作成手段は、前記受信品質として測定された受信レベルと過去に測定された受信レベルの最大値との差を求め、当該差が特定のしきい値よりも大きくなる回数をカウントし、当該カウント数に基づいて受信レベル変動の有無を判断し、前記品質情報として受信レベル変動の有無に関する情報を作成することを特徴とする無線通信装置。
【請求項２】
複数の無線基地局と無線通信装置（移動局）で構成される通信システムにおいて、
前記無線通信装置が、
当該無線通信装置周辺の基地局の受信品質を測定する受信品質測定手段と、
前記受信品質測定手段により測定された基地局の受信品質から各基地局の品質情報を作成する品質情報作成手段と、
前記作成された基地局の品質情報に基づいて基地局を選択する基地局選択手段と、
を備え、
前記受信品質測定手段は、前記受信品質として測定された受信レベルと過去に測定された受信レベルの平均値との差を求め、当該差が特定のしきい値よりも大きくなる回数をカウントし、当該カウント数に基づいて受信レベル変動の有無を判断し、前記品質情報として受信レベル変動の有無に関する情報を作成することを特徴とする無線通信装置。
【請求項３】
前記品質情報作成手段は、前記作成された品質情報に品質の状態に基づく優先度情報を付けることを特徴とする請求項１または２に記載の無線通信装置。
【請求項４】
前記基地局選択手段は、前記品質情報に付けられた優先度情報に基づいて基地局を選択することを特徴とする請求項３に記載の無線通信装置。
【請求項５】
前記品質情報作成手段は、品質情報を更新することを特徴とする請求項１から４のいずれか一つに記載の無線通信装置。
【請求項６】
前記更新は、定期的または受信環境の変化に応じて更新することを特徴とする請求項５に記載の無線通信装置。
【発明の詳細な説明】
【０００１】
【発明の属する技術分野】
本発明は複数の無線ゾーンから構成される移動体通信システムにおける無線通信方式に関するものであり、特に移動局となる無線通信装置が複数の基地局の中から受信レベル変動の影響を最小限に抑える基地局を選択する無線通信方式に関する。
【０００２】
【従来の技術】
一般的な小ゾーン法による移動体通信システムは複数の基地局が複数の無線ゾーンを平面的、あるいは３次元的に配し、1つの無線ゾーンは1つの基地局から構成されている。図１３は、基地局、基地局の無線ゾーンおよび移動局の関係を示す図で、移動局ＰＳの周辺に基地局ＢＳ１、ＢＳ２、ＢＳ３とＢＳ４がある場合を示している。円は無線ゾーンを示しており、実線の円ＳＥ１は基地局ＢＳ１の無線ゾーン、点線の円ＳＥ２は基地局ＢＳ２の無線ゾーン、破線の円ＳＥ３は基地局ＢＳ３の無線ゾーン、そして一点鎖線の円ＳＥ４は基地局ＢＳ４の無線ゾーンである。図では無線ゾーンを円で示しているが、実際の無線ゾーンは建物、地形等により複雑な形をしている。無線ゾーン内には複数の移動局が存在している。１つの基地局の無線ゾーンは周辺の基地局の無線ゾーンと重なりあっているのが一般的で、移動局は多くの基地局の中から１つの基地極を選択して通信を行う。
【０００３】
このような移動体通信において移動局あるいは基地局において文献（特開平３−２２６１２７号公報）に記載されているような移動局における無線通信方式は移動局あるいは基地局において図１２に示すような構成をとる。
図１２において、１はアンテナ（図示していない）からの受信信号を処理し、また送信を行う送受信部、２は送受信部１からのベースバンドを処理し、またデータをベースバンド信号にするベースバンド処理部、３は送受信部１からのベースバンド信号の信号の大きさを検出する受信レベル検出部である。
【０００４】
移動局の受信レベル検出は、各基地局が送信する制御チャネルの受信レベルを測定して行なう。制御チャネルとは各基地局が他の基地局からの信号と重ならないように周波数や時間を切り分けて用いる共通のチャネルのことである。この制御チャネル用の周波数はあらかじめ決められているがそのチャネル数は少なく、各基地局は送信信号が重ならないように時間軸上で時間を切り分けて用いている。そして、制御チャネルには、基地局固有の番号や、基地局と通信を行うための周波数などの情報が含まれている。
【０００５】
移動局は電源投入時や、基地局切替時に基地局を選択する場合は、受信レベル検出部３より得られる受信レベルを受信可能な全ての基地局について検索し、ベースバンド処理部２において最も受信レベルが強い基地局を選択していた。
【０００６】
例えば、図１３において、移動局ＰＳの位置での基地局ＢＳ１〜ＢＳ４の受信レベルをＰ1、Ｐ2、Ｐ3、Ｐ4とし、受信レベルの大きさをＰ1＞Ｐ4＞Ｐ2＞Ｐ3であるとする。移動局ＰＳが基地局を選択する場合、一番受信レベルの高い基地局ＢＳ１を選択する確率が高い。しかし移動局ＰＳと基地局ＢＳ１の間には通路があると、通路を移動する人や車などによって見通し伝搬路が遮蔽されたりする。移動局ＰＳと基地局ＢＳ１が通信中に、見通し伝搬路が遮蔽されることにより受信レベル変動が生じると移動局ＰＳはチャネル切替（セル内ハンドオフ）や基地局切替（セル外ハンドオフ）を行うが、移動局ＰＳが基地局切替によってつぎに受信レベルの高い基地局ＢＳ４を選択すると移動局ＰＳと基地局ＢＳ４の間にはやはり通路が存在するため再びチャネル切替や、基地局切替の必要性が生じる。
【０００７】
【発明が解決しようとする課題】
従来の無線通信方式において、移動局は電源投入時や、基地局切替時に最も受信レベルが強い基地局を選択していた。しかし、移動局が通路などの人の移動が多い場所の周辺で静止して無線通信を行う場合に受信レベルが最も強い基地局を選択すると、受信レベル変動を受ける確率が高い。
【０００８】
移動局が受信レベルが高くても受信レベル変動を受ける確率が高い基地局を選択すると、チャネル切替や基地局切替により回線品質を確保しようとする。しかし、移動局がチャネル切替によって受信レベル変動を回避するには、干渉波レベルの低いチャネルを選択するしかない為、チャネル切替によって受信レベル変動の影響を回避できる確率は低い。
【０００９】
また、通信を行っている基地局の全てのチャネルで回線品質を満たせない場合、移動局は基地局を切り替えるが、使用していた基地局以外の全基地局の中で最も受信レベルが高い基地局を選択しても受信レベル変動の影響を受けない基地局である保証はないため、再びチャネル切替や基地局切替を繰り返す。
【００１０】
このように受信レベルが最も強い基地局を選択すると、受信レベル変動の影響を受けやすい位置にいる移動局はその影響を受ける基地局を選択する可能性があり、１度受信レベル変動の影響を受けてしまうと、チャネル切替、基地局切替を頻繁に行うだけでなく、制御チャネルのトラヒックを増大させ、呼損や強制切断をも招く。
【００１１】
本発明は上記従来の問題点を解決するものであり、受信レベル変動の影響を受けない基地局を選択し、チャネル切替、基地局切替や、制御チャネルトラヒック量、呼損、強制切断を低減し、安定した回線品質を供給することを目的としている。
【００１２】
【課題を解決するための手段】
上述した課題を解決し、目的を達成するために、請求項１にかかる無線通信装置は、複数の無線基地局と無線通信装置（移動局）で構成される通信システムにおいて、前記無線通信装置が、当該無線通信装置周辺の基地局の受信品質を測定する受信品質測定手段と、前記受信品質測定手段により測定された基地局の受信品質から各基地局の品質情報を作成する品質情報作成手段と、前記作成された基地局の品質情報に基づいて基地局を選択する基地局選択手段と、を備え、前記品質情報作成手段は、前記受信品質として測定された受信レベルと過去に測定された受信レベルの最大値との差を求め、当該差が特定のしきい値よりも大きくなる回数をカウントし、当該カウント数に基づいて受信レベル変動の有無を判断し、前記品質情報として受信レベル変動の有無に関する情報を作成することを特徴とする。
【００１３】
また、請求項２にかかる無線通信装置は、複数の無線基地局と無線通信装置（移動局）で構成される通信システムにおいて、前記無線通信装置が、当該無線通信装置周辺の基地局の受信品質を測定する受信品質測定手段と、前記受信品質測定手段により測定された基地局の受信品質から各基地局の品質情報を作成する品質情報作成手段と、前記作成された基地局の品質情報に基づいて基地局を選択する基地局選択手段と、を備え、前記受信品質測定手段は、前記受信品質として測定された受信レベルと過去に測定された受信レベルの平均値との差を求め、当該差が特定のしきい値よりも大きくなる回数をカウントし、当該カウント数に基づいて受信レベル変動の有無を判断し、前記品質情報として受信レベル変動の有無に関する情報を作成することを特徴とする。
【００１４】
また、請求項３にかかる無線通信装置は、請求項１または２に記載の無線通信装置において、品質情報作成手段が、作成された品質情報に品質の状態に基づく優先度情報を付けることを特徴とする。
【００１５】
また、請求項４にかかる無線通信装置は、請求項３に記載の無線通信装置において、基地局選択手段が、品質情報に付けられた優先度情報に基づいて基地局を選択することを特徴とする。
【００１６】
また、請求項５にかかる無線通信装置は、請求項１から４のいずれか一つに記載の無線通信装置において、品質情報作成手段は、品質情報を更新することを特徴とする。
【００１７】
また、請求項６にかかる無線通信装置は、請求項５に記載の無線通信装置において、品質情報の更新は、定期的または受信環境の変化に応じて更新することを特徴とする。
【００１９】
【発明の実施の形態】
実施の形態１．
以下、この発明の実施の形態１を図について説明する。図１はこの発明の実施の形態１を示す無線通信装置（以降、移動局という）の構成図である。１は送受信部、２は送受信部１で受信されたベースバンド信号の処理または送信データの処理を行なうベースバンド処理部、４は基地局の制御チャネルの受信レベル、受信レベルの受信品質を測定する受信レベル変動検出部、５は受信レベル変動検出部４で測定された受信品質から基地局の品質情報の作成と基地局を選択する基地局選択部である。
【００２０】
つぎに動作について図１、図１３を参照しながら説明する。
まず、移動局と基地局の関係を先に説明した図１３のとおりとする。すなわち、基地局ＢＳ１、基地局ＢＳ２、基地局ＢＳ３、基地局ＢＳ４、移動局ＰＳから構成され、各基地局は互いに無線ゾーンをオーバーラップしている。そして、移動局ＰＳが基地局の制御チャネルの受信レベルを測定し、測定した制御チャネルの受信レベル（以後、簡単に受信レベルという）の大きさもＰ1＞Ｐ4＞Ｐ2＞Ｐ3とする。このような無線ゾーンにいる移動局ＰＳが、各基地局との見通し内伝搬路及び周辺において受信レベル変動が生じにくい最適な基地局を選択することを考える。
【００２１】
例えば、移動局ＰＳは基地局ＢＳ１と最も距離的に近く、受信レベルも高いが移動局ＰＳと基地局ＢＳ１の間に通路などがある場合は人や車などの移動により受信レベル変動が生じる。同様に移動局ＰＳと基地局ＢＳ４の見通し伝搬路内には通路があり、同じく人や車などの移動により受信レベル変動が生じる。移動局ＰＳが基地局ＢＳ１あるいは基地局ＢＳ４を選択すると受信レベル変動の影響が生じることを認識し、基地局ＢＳ２、基地局ＢＳ３のいづれかを選択する。
【００２２】
移動局ＰＳの構成は図１である。アンテナ（図示せず）からの受信信号ａは送受信部１で復調されてベースバンド信号ｂとなって出力される。このベースバンド信号ｂはベースバンド処理部２に入力されると共にレベル変動検出部４にも入力される。受信レベル変動検出部４では、入力されたベースバンド信号ｂの受信レベルの測定をベースバンド処理部２からの測定対象の基地局タイミング信号ｃにしたがって行なう。測定した受信レベル値を記憶する。また、受信レベル測定は予め定められた期間に複数回行い、受信レベルの最大値を求める。つぎに、最大受信レベルと受信レベルからレベル変動の確率を求め、所定の値以上のときは「レベル変動あり」とし、所定の値以下のときは「レベル変動なし」としてレベル変動有無の信号ｇを出力する。また、受信レベル検出部４は受信レベル情報ｃをベースバンド処理部２へ出力する。
【００２３】
同様にして、他の基地局について受信レベルとレベル変動の有無の測定を行なう。すなわち、図１３の基地局ＢＳ１〜ＢＳ４までの受信レベルとレベル変動の有無を測定し、記憶することになる。これらの記憶のときには、メモリ書き込みアドレスｆに従って測定した受信レベル、レベル変動の有無がどの基地局の測定結果であるかが分かるように基地局の識別情報と対応付けて記憶する。
【００２４】
図２は、実施の形態１の受信レベル変動検出部４の詳細を示すブロック図である。図をもとに更に動作の詳細を説明する。ベースバンド信号ｂはＡ／Ｄ変換器４１で変換され、受信レベル値が出力される。このとき、測定毎にカウンタ４４を進め測定回数をカウントする。受信レベル比較器４２では、このレベル値と、それまでに測定されメモリ４３に記憶されている最大受信レベル値との差を求める。そして、予め定められているしきい値ＴＨ１と求められた受信レベル差を比較し、しきい値ＴＨ１より大きい場合には受信レベル変動１回としてカウンタ４５を進める。
また、この受信レベル比較で受信レベルの方がメモリ４３から読み出された以前に測定された最大受信レベルより大きいときは、新しい最大受信レベル値としてメモリ４３に書き込み、最大受信レベルの更新を行う。
次に、判定回路４６では、メモリ４３に記憶されたカウンタ４４のカウント値Ａ（測定回数である）とメモリ４３に記憶されたカウンタ４５の値（Ｂ）とから受信レベル変動確率を次式により求める。
受信レベル変動確率＝Ｂ／Ａ
そして、求められた受信レベル変動確率と予め定められたしきい値ＴＨ２とを比較し、受信レベル変動確率の方がしきい値ＴＨ２より大きいときは受信レベル変動が「ある」と判定し、受信レベル変動確率がしきい値ＴＨ２より小さいときには受信レベル変動が「なし」と判定し、判定結果を測定した基地局に対応付けてメモリに記憶する。
【００２５】
上記レベル変動検出部では、最大受信レベルと受信レベルとの差から受信レベル変動確率を求めるようにしたが、図３のように受信レベル測定毎の受信レベルから受信レベルの平均値を求めこの平均値と受信レベルから受信レベル変動確率を求めるようにしてもよい。
以下、図３の受信レベル変動検出部４について詳細に動作説明をする。また、図７は動作フローを示すフローチャートである。図中、Ｓ１１、…はステップまたは手順を示す（以降のフローチャートにおいても同様である）。
入力されるベースバンド信号ｂはＡ／Ｄ変換器４１でレベル値に変換される。受信レベル値は受信レベル比較回路４２でメモリ４３から読み出された測定期間に求められた受信レベル平均値と比較し、受信レベル変動幅（差である）を求める（Ｓ１１）。また、カウンタ４４の値を１進め、カウント値（Ａ）を測定回数としてメモリ４３に記憶する。この差と予め定められたしきい値ＴＨ１と比較ししきい値より大きいときはカウンタ４５の値を進める。カウンタ４５のカウント値（Ｂ）は受信レベル変動回数としてメモリ４３に記憶される。また、受信レベル差がしきい値より小さいときは、平均化回路４６で受信レベルとメモリ４３から読み出された受信レベル平均値とメモリ４３に記憶されたカウンタ４４、４５のカウント値からランニングアベレージを次式により求め、メモリ４３に記憶し受信レベルの平均値を更新する。
｛受信レベル平均値×（Ａ−Ｂ−１）＋受信レベル｝／（Ａ−Ｂ）
そして、この更新された受信レベル平均値は、つぎの受信レベル測定時の受信レベル平均値として使用される。
【００２６】
判定回路４６では、メモリ４３に記憶されているカウント値Ａ、Ｂと予め定められたしきい値ＴＨ２とから受信レベル変動確率を次式により求める。
受信レベル変動確率＝Ｂ／Ａ
この受信レベル変動確率を予め定められたしきい値ＴＨ２と比較し（Ｓ１２）、受信レベル変動確率がしきい値ＴＨ２より大きいときは受信レベル変動が「ある」（Ｓ１３）とし、しきい値ＴＨ２より小さいときには受信レベル変動は「なし」（Ｓ１４）と判定し、受信レベル変動有無の信号ｇとして出力する。
この判定結果を、測定した基地局に対応付けて記憶する。
【００２７】
ここで、しきい値ＴＨ１としきい値ＴＨ２の設定値について一例を図４に示す。図は、移動局受信アンテナに無指向性アンテナを用いた場合の受信レベル変動の確率分布を示した図である。横軸は測定データ中の受信レベルを平均した平均受信レベルで受信レベルを正規化して表し、縦軸は横軸を下回る累積確率で表している。しきい値ＴＨ１は横軸に対応し、しきい値ＴＨ２は縦軸に対応し、しきい値ＴＨ１としきい値ＴＨ２は１対１に対応する。
【００２８】
つぎに、基地局選択部５の動作について説明する。基地局選択部５ではベースバンド処理部４から得られる基地局固有の識別情報（ＩＤ）に対応するメモリアドレスｆをレベル変動検出部４に通知し、上記で説明した受信レベル変動を検出した結果と、最大受信レベルあるいは平均受信レベルから基地局優先度を決定し、基地局優先度とベースバンド処理部２より得る基地局タイミング情報をＩＤに対応付けて基地局毎に記憶させたテーブルを作成する。そして、ベースバンド処理部２から基地局割当の要求ｄがあると、この作成したテーブル（図５、６の５０）から優先度の高い基地局の基地局情報ｄを通知する。
基地局選択部５が優先度データベースを持つ場合、基地局の選択は優先度データベースの優先度に従って行う。以下に基地局優先度データベース作成の一例を示す。
【００２９】
基地局優先度データベースは図５、図６に示すように選択群1と選択群2から構成される。
移動局は電源投入時、あるいは移動終了時（何らかの移動検出手段を用いて、移動局が移動中であるか、静止しているか確認できる場合）に制御チャネルの受信周波数を掃引することによって基地局受信レベルを計測する。計測した基地局受信レベルは全て選択群１に割り当てられ最も受信レベルが高い基地局の優先度が最も高くなるように並べ替える。例えば図１３において移動局ＰＳから見た最も受信レベルの高い基地局はＢＳ１になる。以下高い順にＢＳ４、ＢＳ２、ＢＳ３となる。移動局ＰＳは最初に全ての基地局を選択群１に受信レベルの高い順に割り当てるので図５のような優先度情報が作成される。
【００３０】
移動局ＰＳは各基地局の受信レベル変動を監視し受信レベル変動が有る場合は選択群１に割り当てられていた基地局を選択群２に割り当てる。図１３の基地局ＢＳ１、ＢＳ４の場合は移動局と通路を挟んでいるため、受信レベル変動による受信レベル変動が生じる。従って基地局ＢＳ１と基地局ＢＳ４は選択群２に割り当てられる。選択群１では基地局ＢＳ２と基地局ＢＳ３が残っているが、残った基地局間でも受信レベルの高い順に優先度をつけているので基地局ＢＳ２が最も優先度が高くなる。選択群２の基地局も受信レベルが高い基地局の優先度を高くするので基地局ＢＳ１の優先度は基地局ＢＳ４より高くなる。
【００３１】
図８は基地局優先度データベースの作成手順を示すフローチャートである。
移動局ＰＳが基地局を選択する場合は選択群１の基地局から優先度順にチャネルを調べ、選択群１の中に空きチャネルをもつ基地局、あるいは回線品質を満たすチャネルを持つ基地局がない場合は選択群２から優先度に従って選択する。
つまり選択群２の移動局側からみた優先度は（選択群１の基地局数＋選択群２の優先度）ということになる。
【００３２】
移動局ＰＳが、受信可能な基地局の受信レベルを検出し、所要受信レベルを満たす全ての制御チャネルを検索し（Ｓ２１）、受信レベルの強い順にソートして基地局優先度データベースの選択群１に全ての基地局を割り当てる（Ｓ２２）。
【００３３】
Ｓ２２において選択群１に基地局を割り当てた後、選択群１に記録された基地局の中から最も優先度の高い基地局を選択する（Ｓ２３）。
【００３４】
最も受信レベルの高い基地局を選択後、発呼・着呼の有無を確認し（Ｓ２４）発呼・着呼がなければ選択した基地局の受信レベル変動を監視し（Ｓ２５）、受信レベル変動がある場合はその使用していた基地局を選択群２に割り当て（Ｓ２６）、使用していた基地局の次に優先度の高い基地局を選択する（Ｓ２７）。
【００３５】
Ｓ２５の受信レベル変動の有無確認で受信レベル変動がない場合、すなわち受信レベル変動検出手段によって受信レベル変動の影響が小さいと判断した場合は使用していた基地局は選択群１のままにし、使用していた基地局の次に優先度の高い基地局を選択する（Ｓ２７）。
【００３６】
手順Ｓ２８において全ての基地局を選択した場合は基地局優先度群作成を終了する。まだ全ての基地局を選択していない場合はＳ２４に戻り手順を繰り返す。
【００３７】
Ｓ２４の発呼・着呼の有無確認で発呼・着呼がある場合には、基地局優先度群作成を中断し、検索していた基地局の識別情報ＩＤを保持する（Ｓ２９）。発呼・着呼に対応するため選択群１に基地局が存在するか調べ（Ｓ３０）、選択群１の基地局が存在する場合は選択群１から最も優先度の高い基地局を選択し（Ｓ３１）、Ｓ３０の選択群１の基地局の存在有無確認で、選択群１の基地局が存在しない場合は選択群２の中で最も優先度の高い基地局を選択する（Ｓ３２）。
【００３８】
つぎに、終話かどうか確認し（Ｓ３３）、終話であると判断しない場合は終話するまで基地局優先度群作成を保留し、終話であると判断する場合はＳ２９で保持した基地局を選択し基地局優先度群作成を開始する（Ｓ３４）。
【００３９】
図９は移動局ＰＳが通話のために基地局を選択する動作手順を示すフローチャートである。移動局が基地局を選択する場合、選択群１の中で空きチャネルをもつ基地局が存在するか調べ（Ｓ４１）、存在する場合は選択群１の中から基地局優先度に従って基地局を選択する（Ｓ４２）。
【００４０】
選択した基地局でチャネル割り当てが行われたかどうか確認し（Ｓ４３）、割当ができた場合は基地局割り当てを終了する。チャネル割り当てが行われなかった場合はＳ４１に戻り手順を繰り返す。
【００４１】
また、Ｓ４１の選択群１の中で空きチャネルをもつ基地局が存在するかどうかの確認で、空きチャネルを持つ基地局が存在しなかった場合は選択群２の中から使用可能な基地局があるか判断する（Ｓ４４）。空きチャネルをもつ基地局がない場合は呼損として処理する（Ｓ４５）。空きチャネルをもつ基地局がある場合は選択群２の中から優先度に従って基地局を選択し（Ｓ４６）、選択した基地局でチャネル割当ができたかどうかの確認をする（Ｓ４３）。
【００４２】
図１０は、基地局優先度データベースを作成完了後のデータ更新動作を示すフローチャートである。移動局が選択群１の基地局を選択した場合、受信レベル変動検出部４は選択した基地局の受信レベルを監視し、受信レベル変動があると判断した場合は基地局選択部５において基地局優先度データを更新する。移動局が選択群２から基地局を選択した場合は基地局優先度データベースは更新しない。
【００４３】
以下、図１０に基づきデータベースの更新動作を説明する。移動局は基地局優先度データベースを作成完了後、基地局優先度データベースに従って選択群１の中から最も優先度の高い基地局を選択後、受信レベル変動検出部４では選択した基地局の受信レベル変動を監視する（Ｓ５１）。受信レベル変動を検出した場合は使用していた基地局を選択群２に移し、選択群１、選択群２のそれぞれの基地局について受信レベルの強い順に優先度をつけ直してデータを更新する（Ｓ５２）。
【００４４】
次にデータ更新後に選択群１に基地局が登録されているかどうかの確認をし（Ｓ５３）、登録されている基地局がない場合は選択群２の中から基地局優先度データベースに従って基地局を選択する（Ｓ５５）。基地局優先度データベースの更新を終了する。Ｓ５３の選択群１の基地局の存在確認で、選択群１に登録されている基地局が存在する場合は選択群１から最も優先度の高い基地局を選択し（Ｓ５４）、Ｓ５１に戻り再び受信レベル変動を監視する。
【００４５】
図１１は、移動局ＰＳが基地局優先度データベースを持たない場合に、受信レベル変動する基地局を避けて選択する基地局選択動作の手順を示すフローチャートである。
この動作について図をもとに説明する。移動局ＰＳは受信可能な全ての基地局の受信レベルを検出し、基地局受信レベルの高い順に基地局を選択する（Ｓ６１）。受信レベル変動の検出を行い受信レベル変動の有無の確認を行なう（Ｓ６２）。そして、受信レベル変動を検出した場合は、受信可能な全ての基地局を検索したか判断する（Ｓ６４）。まだ全ての基地局を検索していない場合は手順Ｓ６１に戻り手順を繰り返す。
手順Ｓ６４の全ての基地局の検索確認で、全ての基地局を検索したと判断した場合は受信可能な全ての基地局の中で最も受信レベルの強い基地局を選択し（Ｓ６５）、チャネル割当ができるかどうか確認し（Ｓ６６）、チャネル割り当てを行い終了する。また、チャネル割り当てが行われなかった場合は呼損として処理する（Ｓ６７）。
【００４６】
なお、手順Ｓ６１において、受信レベルの高い順に基地局を選択すると説明したが移動局が基地局を補足した順に基地局を選択しても良い。
【００４７】
Ｓ６２の受信レベル変動の検出確認で、受信レベル変動が検出されなかった場合はチャネル割り当てができるかどうか確認し（Ｓ６３）、チャネル割当てを行ない基地局選択を終了する。Ｓ６３のチャネル割当可能かどうかの確認でチャネル割り当てが行われなかった場合はＳ６１に戻り繰り返す。
【００４８】
【発明の効果】
この発明は、以上説明したように基地局の制御チャネルの受信レベル変動検出手段と基地局選択手段を持ち、受信レベル変動検出手段から得られる受信レベル変動の影響の有無を評価した周辺基地局の受信品質情報を持つようにしたので、受信レベル変動の少ない基地局を優先的に選択して通信ができ、受信レベル変動の影響によるチャネル切替や基地局切替を低減する効果がある。
【図面の簡単な説明】
【図１】  この発明の無線通信装置の構成を示すブロック図である。
【図２】  この発明の受信レベル変動検出部の構成を示すブロック図である。
【図３】  この発明の他の受信レベル変動検出部の構成を示すブロック図である。
【図４】  受信レベル変動検出部のしきい値設定例を示す図である。
【図５】  この発明の基地局選択部の優先度データマップを示す図である。
【図６】  この発明の基地局選択部の他の優先度データマップを示す図である。
【図７】  この発明のレベル変動検出部の動作フローを示すフローチャート図である。
【図８】  この発明の優先度データベース作成手順を示すフローチャート図である。
【図９】  この発明の基地局選択動作を示すフローチャート図である。
【図１０】  この発明の優先度データベースの更新処理を示すフローチャート図である。
【図１１】  この発明の基地局選択動作の他の例を示すフローチャート図である。
【図１２】  従来の無線通信装置の構成を示すブロック図である。
【図１３】  移動局と基地局および基地局の無線ゾーンの関係を説明する図である。
【符号の説明】
１  送受信部、  ２  ベースバンド処理部、  ４  受信レベル変動検出部、  ４１  Ａ／Ｄ変換器、  ４２  受信レベル比較部、４３メモリ、  ４４、４５カウンタ、  ４６  判定回路、  ４７  平均化回路、  ５基地局選択部。
【図１】
0003647986.tif 000002
【図２】
0003647986.tif 000003
【図３】
0003647986.tif 000004
【図４】
0003647986.tif 000005
【図５】
0003647986.tif 000006
【図６】
0003647986.tif 000007
【図７】
0003647986.tif 000008
【図８】
0003647986.tif 000009
【図９】
0003647986.tif 000010
【図１０】
0003647986.tif 000011
【図１１】
0003647986.tif 000012
【図１２】
0003647986.tif 000013
【図１３】
0003647986.tif 000014